(57)【特許請求の範囲】
【請求項１】
光源と、
前記光源からの光を透過させる透過部を複数有し、前記光源から出射されて前記複数の透過部を透過した光である表示光を出射する表示板と、
前記表示板と空気層を介して対向し、前記表示板に対して傾斜して設けられる透過ミラーであって、前記表示光の一部を前記表示板に向けて反射させ、他の一部を透過させる透過ミラーと、を備え、
前記表示板には、前記透過ミラーで反射した前記表示光を、前記透過ミラーに向けて反射させる反射部が設けられ、
前記表示板から出射された前記表示光のうち、前記反射部で反射せずに前記透過ミラーを透過した光と、前記透過ミラーと前記反射部とで反射した後に前記透過ミラーを透過した光とにより、所定の情報を報知するための像を表示し、
前記表示板は、透光板と、前記透光板に形成された遮光層と、を有し、
前記複数の透過部は、前記遮光層が無い部分により形成され、
前記反射部は、前記表示板の前記透過ミラーに向く面とは反対側の面に形成されている、
ことを特徴とする表示装置。
【請求項２】
前記透過ミラーと前記反射部とのうち少なくとも一方は、前記光源に向かって凸となる、又は、前記像の表示側に凸となるように湾曲している、
ことを特徴とする請求項１に記載の表示装置。
【請求項３】
前記表示側から見て、前記複数の透過部は、所定の軸線に沿って配列されており、
前記透過ミラーと前記反射部とのうち少なくとも一方の前記軸線に沿う断面形状が、前記光源に向かって凸となる、又は、前記像の表示側に凸となるように湾曲している、
ことを特徴とする請求項２に記載の表示装置。
【請求項４】
前記光源は複数あり、これらは、互いに異なる色で発光する第１の光源と第２の光源とを含み、
報知対象の情報に応じて前記像を異なる色で表示する、
ことを特徴とする請求項１乃至３のいずれか１項に記載の表示装置。
【請求項５】
前記光源は、前記複数の透過部の各々に対応して、複数設けられている、
ことを特徴とする請求項１乃至４のいずれか１項に記載の表示装置。
【請求項６】
前記複数の光源の各々の点灯と消灯との組み合わせにより、報知対象の情報に応じて前記像の形状を変化させる、
ことを特徴とする請求項４又は５に記載の表示装置。
【発明の詳細な説明】
【技術分野】
【０００１】
本発明は、表示装置に関する。
【背景技術】
【０００２】
従来の表示装置として、特許文献１には、表示意匠像を表示する表示部と、表示部の前面に配置された加飾板と、を備える表示装置が開示されている。この加飾板は、背面に対して傾斜した傾斜面を有する光透過性の基板と、基板の傾斜面に形成された半透過層と、基板の背面に形成された光反射層と、を有している。このように構成される特許文献１に係る表示装置は、光反射層に設けられた光透過部から導入した表示意匠像の光を、半透過層と光反射層とによって、それぞれ、１回以上反射させることで、表示意匠像を虚像として表示させ、立体的で斬新な表示を試みたものである。
【先行技術文献】
【特許文献】
【０００３】
【特許文献１】特開２００９−６９２０７号公報
【発明の概要】
【発明が解決しようとする課題】
【０００４】
特許文献１に係る表示装置では、光透過性の基板面に直接、半透過層と光反射層とを形成しているため、各層の形状が基板に依存することになり、設計自由度が低い。
【０００５】
本発明は、上記実状に鑑みてなされたものであり、設計自由度に優れ、斬新な表示が可能な表示装置を提供することを目的とする。
【課題を解決するための手段】
【０００６】
上記目的を達成するため、本発明に係る表示装置は、
光源と、
前記光源からの光を透過させる透過部を複数有し、前記光源から出射されて前記複数の透過部を透過した光である表示光を出射する表示板と、
前記表示板と空気層を介して対向し、前記表示板に対して傾斜して設けられる透過ミラーであって、前記表示光の一部を前記表示板に向けて反射させ、他の一部を透過させる透過ミラーと、を備え、
前記表示板には、前記透過ミラーで反射した前記表示光を、前記透過ミラーに向けて反射させる反射部が設けられ、
前記表示板から出射された前記表示光のうち、前記反射部で反射せずに前記透過ミラーを透過した光と、前記透過ミラーと前記反射部とで反射した後に前記透過ミラーを透過した光とにより、所定の情報を報知するための像を表示し、
前記表示板は、透光板と、前記透光板に形成された遮光層と、を有し、
前記複数の透過部は、前記遮光層が無い部分により形成され、
前記反射部は、前記表示板の前記透過ミラーに向く面とは反対側の面に形成されている、
ことを特徴とする。
【発明の効果】
【０００７】
本発明によれば、設計自由度に優れ、斬新な表示が可能である。
【図面の簡単な説明】
【０００８】
【図１】本発明の一実施形態に係る表示装置の平面図である。
【図２】図１に示す表示装置のＡ−Ａ線概略断面図である。
【図３】図１に示す表示装置のＢ−Ｂ線概略断面図である。
【図４】本発明の一実施形態に係る表示板の概略平面図である。
【図５】表示光がどのように視認されるかを説明するための模式図である。
【図６】表示光により形成される像の一例を示す写真の図である。
【図７】変形例に係る表示部の概略断面図である。
【発明を実施するための形態】
【０００９】
本発明の一実施形態に係る表示装置について図面を参照して説明する。
【００１０】
本実施形態に係る表示装置１００は、例えば車両に搭載される複合計器として構成され、図１に示すように、２つの計器１０１，１０２と、所定の情報を報知するための像を表示する表示部１０３と、を備える。
【００１１】
なお、以下では、各部の構成の理解を容易にするため、表示装置１００が報知する情報を視認する視認者から見て左右方向に沿う軸をＸ軸、上下方向に沿う軸をＹ軸、Ｘ軸とＹ軸に直交する軸をＺ軸とした、ＸＹＺ座標系を用いて適宜説明を行う。また、図示したＸＹＺの各軸を示す矢印が向く方向を各軸の＋（プラス）方向、その反対方向を−（マイナス）方向とする。また、各部に対しての視認者側を表側、その反対側を裏側として適宜説明を行う（図２参照）
【００１２】
計器１０１と計器１０２とは、異なる計測量を報知する。例えば、計器１０１はタコメータ、計器１０２はスピードメータとして構成されている。計器１０１は、回転する指針１０１ａと、指針１０１ａの指示範囲に設けられた目盛、数字等からなる指標部（図示せず）とを対比判読させることで、エンジン回転数を報知する。同様に、計器１０２は、回転する指針１０２ａと、指針１０２ａの指示範囲に設けられた指標部（図示せず）とを対比判読させることで、車速を報知する。
【００１３】
表示部１０３は、図１〜図３に示すように、回路基板１と、表示板２と、透過ミラー３と、反射部４と、裏ケース５と、中ケース６と、表ケース７と、を備える。
【００１４】
回路基板１は、ガラス繊維を含む樹脂等からなる板状の基材に、所定の配線パターンが形成されたプリント回路板である。回路基板１には、光源１０や、図示しない制御部及びモータ等が実装されている。
【００１５】
回路基板１に実装された制御部は、マイクロコンピュータと、光源１０やモータを駆動するドライバとを有する。制御部は、車両のＥＣＵ（Electronic Control Unit）から通信ラインにより伝送される車両情報に基づいて、光源１０やモータを駆動する。モータは、例えばステッピングモータからなり、指針１０１ａと指針１０２ａとの各々に対応して設けられている。例えば、指針１０１ａに対応するモータは、制御部の制御の下でエンジン回転数に応じて指針１０１ａを回転させる。これにより、指針１０１ａはエンジン回転数に応じた箇所を指示する。同様に、指針１０２ａに対応するモータは、制御部の制御の下で車速に応じて指針１０２ａを回転させる。このように、制御部は、表示部１０３だけでなく、計器１０１及び計器１０２を含む表示装置１００の全体の動作を制御する。
【００１６】
光源１０は、例えばＬＥＤ（Light Emitting Diode）から構成され、表示板２に向かって光を出射する。光源１０は、図２に示すように、回路基板１の表側に複数設けられている。具体的には、光源１０は、Ｘ軸に沿って複数配列され、後述する複数の透過部２２の各々に対応して設けられている。
【００１７】
また、複数の光源１０は、互いに異なる色で発光する第１の光源と第２の光源とを含む。図２では、一例として５つの光源１０が配列されている構成を示しているが、これを用いれば、そのうちの左二つが青色で発光する第１の光源で、その他の三つが赤色で発光する第２の光源、というように複数の光源１０が構成される。また、複数の光源１０の各々は、制御部の制御の下で、報知させたい情報に応じて、適宜のタイミングで点灯又は消灯するように構成されている。
これにより、表示装置１００では、複数の光源１０からの光に基づいて表示部１０３に表示される像の色を変更したり、像の形状を変化させたりすることが可能となっている。なお、各光源１０の点灯・消灯の切替制御は、ＥＣＵ等から制御部に伝送される車両情報の変化などに応じてなされる。この具体例については、後述する。
【００１８】
表示板２は、透光板２０の裏面に遮光層２１が形成されることで構成されている。表示板２は、図２等に示すように、中ケース６を挟んで回路基板１の表側に位置する。透光板２０は、所定の樹脂（例えばポリカーボネート（ＰＣ））から形成されている。遮光層２１は、例えば遮光性インキからなり、透光板２０の裏面に印刷により形成されている。
【００１９】
図２、図３に示すように、表示板２のうち、複数の光源１０の各々と対向する部分には、遮光層２１が形成されていない。これにより、表示板２には、各光源１０からの光を透過させる透過部２２が複数設けられている。なお、図示しないが、表示板２は、計器１０１，１０２と共用であり、各計器の指標部も遮光層２１の不形成領域によって抜き文字状に表現する。
【００２０】
透過部２２は、図４に示すように、表示板２に、Ｘ軸に沿って配列された複数の開口状となる。図示例では、各透過部２２は、平面視で矩形に形成されているが、円形や他の形状であってもよい。なお、透過部２２の形成箇所であって、透光板２０の表側及び／又は裏側の面に、拡散処理を施してもよい。
複数の透過部２２を透過した光源１０からの光は、表示光Ｌとして表示板２から表側に向かって出射される。後述するように、このように出射される表示光Ｌが透過ミラー３と反射部４とで反射することにより、立体的で斬新な像として視認されることとなる。
【００２１】
透過ミラー３は、表示板２の表側に設けられ、表示板２から出射された表示光Ｌの一部を表示板２に向けて反射させ、他の一部を透過させる。透過ミラー３は、ＰＣ等の樹脂からなる透光性基板にアルミニウム等の反射膜を蒸着することにより形成され、例えばハーフミラーからなる。なお、反射光と透過光の割合は、反射膜の厚みを変更することで適宜調整可能であり、ハーフミラーに限定されるものではない。
【００２２】
また、透過ミラー３は、表示板２と空気層Ｇを介して対向し、且つ、表示板２に対して傾斜して設けられている。具体的には、透過ミラー３は、図３に示すように、−Ｙ方向に行くに従って表示板２と近付くように配置されている。
【００２３】
また、透過ミラー３は、図２に示すように、光源１０側（裏側）に向かって凸となるように湾曲している。この場合、透過ミラー３自体を湾曲形成してもよいし、透過ミラー３を保持する保持部（後述する中ケース６と表ケース７）からの応力により、透過ミラー３が湾曲していてもよい。いずれの場合においても、透過ミラー３のＸ軸に沿う断面形状は裏側に向かって凸となる。このように透過ミラー３を湾曲させた理由については後述する。
【００２４】
反射部４は、図３に示すように、透光板２０の裏面であって、透光板２０と遮光層２１との間に形成されている。例えば、反射部４は、透光板２０の背面にミラーインキを印刷したり、アルミニウムなどを蒸着したりすることで形成される。この場合、透光板２０に反射部４を形成した後に、反射部４を覆うように遮光層２１が形成されることになる。例えば、反射部４は、透過ミラー３とは異なり、光透過性を有さずに光反射性のみを有するように形成されている。
【００２５】
また、反射部４は、図３に示すように、表示板２の透過部２２よりも、−Ｙ方向側に形成されている。反射部４は、透過ミラー３で反射した後に反射部４に入射した表示光Ｌを、透過ミラー３に向けて反射させる。具体的には、透過ミラー３で反射して表示板２に向かった表示光Ｌは、透光板２０を透過して反射部４で反射し、再度透光板２０を透過した後に、透過ミラー３へと向かう。
詳細は後述するが、表示装置１００は、表示光Ｌを透過ミラー３と反射部４とで反射させることにより、表示部１０３に立体的で斬新な像を表示する。
【００２６】
裏ケース５は、例えば遮光性の樹脂からなり、回路基板１を収納する。
中ケース６は、例えばＰＰ（Poly-Propylene）樹脂から白色に形成され、回路基板１の表側に位置する。中ケース６には、表示板２が載置される。また、中ケース６には、複数の光源１０が出射した光を、表示板２へと効率良く導く照明室６０が形成されている。また、中ケース６は、図３に示すように、表示板２が載置される面から表側へと立設する壁部６１を有する。
表ケース７は、例えば遮光性の樹脂からなり、中ケース６を表側から覆う。また、表ケース７には、表示光Ｌを通過させる開口部７０が設けられている。この開口部７０と中ケース６の壁部６１とで、透過ミラー３を挟持するように保持している。透過ミラー３を透過した表示光Ｌは、開口部７０を通過して視認者に視認される。各ケースは、フック等によって結合（嵌合）される。
【００２７】
次に、以上の構成からなる表示装置１００が、どのように立体的な像を表示するかを、図３、図５、及び図６を参照して説明する。
なお、表示光Ｌは、光源１０から出射されて、表示板２に形成された複数の透過部２２の各々を透過した光により生成されるが、各透過部２２を透過した光は、Ｘ軸方向から見た場合は同様の経路を辿ることになる。そのため、以下では、所定の一つの透過部２２を透過して表示板２から出射される表示光Ｌについて説明する。
【００２８】
回路基板１に実装された制御部の制御によって光源１０が発光すると、光源１０から出射された光は、表示板２の透過部２２を透過して、表示光Ｌとして表示板２の表側へと出射される。
【００２９】
表示板２から出射された表示光Ｌは、透過部２２での屈折・拡散により、光源１０の光軸（概ねＺ軸に沿う軸）と平行でない成分の光を含む。このうち、−Ｙ方向に傾斜して進むものを表示光Ｌ０とする（図５参照）。表示板２から出射された表示光Ｌ０は、透過ミラー３に入射する。
【００３０】
透過ミラー３に入射した表示光Ｌ０のうち、透過ミラー３の界面で屈折すると共に、透過ミラー３を透過した光は、透過ミラー３の表側へと出射される光Ｌ１となる。透過ミラー３に入射した表示光Ｌ０のうち、透過ミラー３で反射した光は、表示板２へと向かい、透光板２０を介して反射部４で反射し、再び透過ミラー３に入射する（透過ミラー３への２回目の入射）。
２回目に透過ミラー３に入射した光のうち、透過ミラー３の界面で屈折すると共に、透過ミラー３を透過した光は、透過ミラー３の表側へと出射される光Ｌ２となる。２回目に透過ミラー３に入射した光のうち、透過ミラー３で反射した光は、表示板２へと向かい、透光板２０を介して反射部４で反射し、また透過ミラー３に入射する（透過ミラー３への３回目の入射）。
以降、同様に、ｎ回目に透過ミラー３に入射した光のうち、透過ミラー３を透過した光は、透過ミラー３の表側へと出射される光Ｌｎとなる。ｎ回目に透過ミラー３に入射した光のうち、透過ミラー３で反射した光は、反射部４で反射し、透過ミラー３への（ｎ＋１）回目の入射光となる。
【００３１】
このように、透過ミラー３の表側へと出射される光Ｌ１、Ｌ２・・・Ｌｎは、この順で光量が減少する。なお、光量の減少度合いは、透過ミラー３の反射率（又は透過率）に依存する。
【００３２】
また、表示板２から出射された表示光Ｌのうち、表示光Ｌ０と異なる光路を進む表示光Ｌｖを図５において点線で表したが、この表示光Ｌｖからも同様に、反射部４を介さずに透過ミラー３の表側へと出射される光と、反射部４と透過ミラー３とで１又は複数回反射した後に透過ミラー３へと入射する光とが発生する。
これにより、表示光Ｌｖのうち、反射部４を介さずに透過ミラー３の表側へと出射される光の経路と、前述した光Ｌ１との光の経路との交点に相当する位置に、透過部２２が発光した像の虚像Ｖが生じる。図示しないが、同様の作用により、これ以外にも表示光Ｌ０と表示光Ｌｖとに基づき、光Ｌ２〜光Ｌｎの各々に対応した虚像が順次、生じる。
【００３３】
このように、表示装置１００では、透過ミラー３の表側へと出射される光に対応して虚像が順次生じると共に、表示板２から出射された表示光Ｌは反射を繰り返す毎に光量が減少していく。これにより、図６に示すように、Ｘ方向に配列された複数の透過部２２が発光した像が、−Ｙ方向に向かって徐々に淡くなりつつ繰り返し生じてなる像Ｉが表示部１０３に表示される。同図からも分かるように、像Ｉは、虚像の発生位置と光量の変化とにより、立体的に視認される。
【００３４】
なお、図６は、表示部１０３の試作機の写真を示したものであるが、透過部２２の個数は同図や、図２等に示した個数に限られず、任意である。また、Ｙ方向に沿って繰り返し現れる像の個数も任意である。繰り返し現れる像の個数は、透過ミラー３の傾き等を調整することで適宜変更可能である。また、虚像Ｖの位置や、光Ｌ１〜Ｌｎの経路は、図面の見易さを考慮して模式的に表したものである。
【００３５】
また、表示装置１００では、前述したように、透過ミラー３が裏側に向かって凸となるように湾曲している。具体的には、透過ミラー３のＸ軸に沿った断面形状が裏側に向かって凸となっている。
これにより、各透過部２２を透過した光の間隔が徐変し、図６に示すように、透過ミラー３のＸ方向の端部から中心方向に向かって、透過部２２の発光像が疎から密になるように生じ、像Ｉ自体も湾曲して視認されるため、表示装置１００では、視認者を取り囲むような斬新な表示が可能となっている。
【００３６】
ここからは、表示装置１００が表示部１０３に表示する像Ｉの表示態様について、幾つか例示する。
【００３７】
表示装置１００は、搭載車両に何らかの異常が生じた場合、通常時は青色で表示していた像Ｉを赤色に切り替えて表示することで運転者に警告を行う。例えば、制御部は、各種センサからＥＣＵを介して、エンジン異常、タイヤの空気圧異常を示す信号を取得すると、複数の光源１０のうち、青色で発光させていた光源を消灯し、赤色で発光する光源を駆動する。
【００３８】
また、表示装置１００は、車両のイグニッションがオンされた際に、像Ｉを点滅表示させることで、車両の始動準備が整ったことを運転者に報知する。具体的には、制御部は、ＥＣＵからイグニッション・オンを示す信号を取得すると、複数の光源１０を予め定められた所定の周期またはタイミングで点滅させる。
なお、表示装置１００が既知のイモビライザシステムの一部を構成する場合、同システムによって車両盗難のおそれがあると判別された際に、制御部が光源１０を制御し、像Ｉを点滅表示させることで、周囲に警告を発するようにしてもよい。
【００３９】
また、表示装置１００は、報知対象の情報に応じて、像Ｉの形態を変化させてもよい。例えば、車両の左側のウインカランプが点滅している際、制御部は、図２に示すようにＸ軸に沿って配列された複数の光源１０のうち、左側のいくつかの光源のみを駆動する。これにより、像Ｉを現在の方向指示状態に合わせた形状で表示することができる。この場合、駆動した光源を、ウインカランプの点滅のタイミングと同期させて点滅することが好ましい。
また、車両がカーナビゲーション装置を搭載している場合、当該装置が目的地までの経路案内で進行方向に対して右折または左折を促している際も、光源１０を同様に制御すれば、像Ｉをナビゲート情報に合わせた形態で表示することができる。
また、車両が赤外線センサなどを用いた既知の手法により、接近車両や障害物を感知可能に構成されている場合、接近車両や障害物の方向に合わせて、像Ｉの形態を変更させてもよい。
【００４０】
なお、以上で説明した像Ｉの表示形態はあくまで例示であり、複数の光源１０各々の点灯・消灯と、発光色との組み合わせで、種々の表示が可能である。
【００４１】
以上に説明した表示装置１００（表示部１０３）は、光源１０と、光源１０からの光を透過させる透過部２２を複数有し、光源１０から出射されて複数の透過部２２を透過した光である表示光Ｌを出射する表示板２と、表示板２と空気層Ｇを介して対向し、表示板２に対して傾斜して設けられる透過ミラー３であって、表示光Ｌの一部を表示板２に向けて反射させ、他の一部を透過させる透過ミラー３と、を備える。表示板２には、透過ミラー３で反射した表示光Ｌを、透過ミラー３に向けて反射させる反射部４が設けられており、表示装置１００は、表示板２から出射された表示光Ｌのうち、反射部４で反射せずに透過ミラー３を透過した光と、透過ミラー３と反射部４とで反射した後に透過ミラー３を透過した光とにより、所定の情報を報知するための像Ｉを表示する。
このように、表示板２と透過ミラー３とを空気層Ｇを介して配置したから、設計上、透過ミラー３の配設位置の変更や、透過ミラー３の形状（例えば、湾曲させる）の変更などが容易である。また、前述したように、Ｙ方向に沿って繰り返し生じる虚像により、像Ｉを立体的に、斬新に表示することができる。
【００４２】
また、表示装置１００では、透過ミラー３が光源１０に向かって凸となるように湾曲しているため、各透過部２２を透過した光の間隔が徐変し、像Ｉ自体も湾曲して視認されるという斬新な表示が可能である。
【００４３】
また、表示装置１００では、像Ｉの表示側（表側）から見て、複数の透過部２２は、Ｘ軸（所定の軸線の一例）に沿って配列されており、透過ミラー３のＸ軸に沿う断面形状が、光源１０に向かって凸となるように湾曲している。これにより、各透過部２２を透過した光における、主にＸ軸方向の間隔が徐変するため、視認者を取り囲むような斬新な表示が可能である。
【００４４】
また、光源１０は複数あり、これらは、互いに異なる色で発光する第１の光源と第２の光源とを含み、表示装置１００は、報知対象の情報に応じて像Ｉを異なる色で表示する。また、表示装置１００は、複数の光源１０の各々の点灯と消灯との組み合わせにより、報知対象の情報に応じて像Ｉの形状を変化させる。
このように表示装置１００は、像Ｉの色や形状の変化により、種々の情報を斬新な形態で報知することができる。
【００４５】
なお、本発明は上記の実施形態及び図面によって限定されるものではない。適宜変更（構成要素の削除も含む）を加えることができるのはもちろんである。
【００４６】
以上では、光源１０が複数の透過部２２の各々に対応して複数設けられている例を示したが、これに限られない。
図７に示す変形例に係る表示部２０３のように、光源１０の数を減らすことも可能である（図７では光源１０が二つの例を示した）。表示部２０３は、光源１０と表示板２の間に導光体８を備える。この導光体８は、例えば、透光性の樹脂材からなり、Ｘ方向に延びるように形成された本体部８０と、本体部８０の両端から光源１０に向かって垂れ下がるように形成された受光部８１と、受光部８１から内部に入射した光を本体部８０が沿う方向へと反射させる反射面８２と、を有する。光源１０が発した光は、受光部８１から導光体８内部へと入射し、反射面８２で反射して、本体部８０へと導かれる。本体部８０のうち、表示板２に形成された複数の透過部２２の各々と、Ｚ方向において対向する部分には、本体部８０へと導かれた光を、表側へと反射させる光路変更部８０ａが形成されている。光路変更部８０ａは、例えば、図示のように、本体部８０の裏面に形成された、断面三角状の溝部として構成される。本体部８０に導かれ、光路変更部８０ａで反射して表側へと向かった光は、導光体８から出射され、各透過部２２を透過して透過ミラー３へと到る。像Ｉの形成については、前述と同様である。表示装置１００の表示部２０３をこのように構成することで、光源１０の数を減らすこともできる。なお、光路変更部８０ａは、これに限られず、本体部８０へと導かれた光を各透過部２２に向けて反射することができれば、その形状は任意である。
【００４７】
以上では、透過ミラー３が光源１０に向かって凸となるように湾曲している例を示したが、像Ｉの表示側に凸となるように湾曲していてもよい。また、反射部４を同様に、光源１０側または像Ｉの表示側に凸となるように湾曲させてもよい。さらには、透過ミラー３と反射部４との双方を湾曲させて複雑な像Ｉを生成してもよい。いずれにせよ、表示光Ｌの間隔を徐変させることができるので、斬新な表示が可能である。
【００４８】
以上では、反射部４を透光板２０の裏面に形成した例を示したが、これに限られない。例えば、表示板２とは別体の全反射ミラー（例えばミラーシート）を、透光板２０の表側に設置してもよいし、裏側に設置してもよい。反射部４を湾曲させる場合には、このように反射部４を表示板２と別体に設ければ、表示板２を湾曲させずに済む。
【００４９】
また、以上の説明では、表示装置１００が車両用の複合計器であるものとして説明したが、水上バイク、耕作機械、航空機、船舶、電車等の他の乗り物用の計器であってもよい。さらには、表示装置１００は、表示部１０３，２０３を有していればよく、計器と別体であってもよい。
【００５０】
また、より斬新な表示を行う観点からは、透過ミラー３と反射部４との少なくとも一方を湾曲させることが好ましいが、必ずしも双方を湾曲させなくともよい。
【００５１】
以上の説明では、本発明の理解を容易にするために、重要でない公知の技術的事項の説明を適宜省略した。
【符号の説明】
【００５２】
１００  表示装置
１０３，２０３  表示部
１  回路基板
１０  光源
２  表示板
２０  透光板
２１  遮光層
２２  透過部
３  透過ミラー
Ｇ  空気層
４  反射部
５  裏ケース
６  中ケース
７  表ケース
８  導光体
【図１】
0006412397.tif 000002
【図２】
0006412397.tif 000003
【図３】
0006412397.tif 000004
【図４】
0006412397.tif 000005
【図５】
0006412397.tif 000006
【図６】
0006412397.tif 000007
【図７】
0006412397.tif 000008